(57)【要約】【課題】デッキ構造のフレーム材の端部および側面の両方に取り付け可能で、幕板材を簡便に取り付けることができるデッキ用幕板材固定具を提供する。【解決手段】デッキフロア４を支持するフレーム材３の軸方向の端部または側面に取り付けられ、且つデッキフロア４の周面を覆う幕板材５が固定されるデッキ用幕板材固定具６であって、ベース壁部６１と、ベース壁部６１の両側縁から当該ベース壁部６１と直交する方向に延びる一対の側壁部６２と、一対の側壁部６２の各先端部から互いに離れる方向にベース壁部６１と平行に延びる一対のフランジ部６３とを有し、前記一対の側壁部６２の内面間距離が、フレーム材３の長手方向の端部の幅寸法と略同一に設定されている。【選択図】図７
2018035630.tif 000002
【特許請求の範囲】
【請求項１】
デッキフロアを支持するフレーム材の軸方向の端部または側面に取り付けられ、且つ前記デッキフロアの周面を覆う幕板材が固定されるデッキ用幕板材固定具であって、
ベース壁部と、
前記ベース壁部の両側縁から当該ベース壁部と直交する方向に延びる一対の側壁部と、
前記一対の側壁部の各先端部から互いに離れる方向に前記ベース壁部と平行に延びる一対のフランジ部とを有し、
前記一対の側壁部の内面間距離が、前記フレーム材の長手方向の端部の幅寸法と略同一に設定されたことを特徴とするデッキ用幕板材固定具。
【請求項２】
請求項１に記載のデッキ用幕板材固定具において、
前記フランジ部は、当該フランジ部を前記フレーム材の側面に固定するための締結部材を挿通するフランジ挿通孔を有し、
前記側壁部は、当該側壁部を前記フレーム材の側面に固定するための締結部材を挿通する側壁挿通孔を有する、ことを特徴とするデッキ用幕板材固定具。
【請求項３】
請求項２に記載のデッキ用幕板材固定具において、
前記側壁挿通孔は、前記ベース壁部側から前記フランジ部側に向けて延びている横長の孔である、ことを特徴とするデッキ用幕板材固定具。
【請求項４】
請求項１〜３のいずれか一項に記載のデッキ用幕板材固定具において、
前記一対の側壁部は、前記ベース壁部の両縁端における上端から前記フレーム材の上下方向の長さ分だけ下方の位置までの範囲から前記ベース壁部と直交する方向に延びるように形成されている、ことを特徴とするデッキ用幕板材固定具。
【請求項５】
請求項１〜４のいずれか一項に記載のデッキ用幕板材固定具において、
前記側壁部における前記ベース壁部からの延出長さは、前記フランジ部における前記側壁部からの延出長さよりも長い、ことを特徴とするデッキ用幕板材固定具。
【請求項６】
前記ベース壁部の下端から前記側壁部とは反対側に延び、且つ前記幕板材を下側から支持する支持部をさらに有する、ことを特徴とする請求項１〜５のいずれか一項に記載のデッキ用幕板材固定具。
【請求項７】
デッキフロアと、
前記デッキフロアを支持するフレーム材と、
前記デッキフロアの周面を覆う幕板材と、
前記フレーム材の軸方向の端部または側面に取り付けられ、且つ前記幕板材を下側から支持する請求項１〜６のいずれか一項に記載のデッキ用幕板材固定具と、を有することを特徴とするデッキ構造。
【発明の詳細な説明】
【技術分野】
【０００１】
本発明は、デッキフロアの周面に幕板材を取り付けるためのデッキ用幕板材固定具およびこの幕板材固定具を用いて幕板材が固定されたデッキ構造に関する。
【背景技術】
【０００２】
テラスやバルコニー等のデッキ構造は、地面上に前後左右に配置された複数の支柱と、前記支柱上に載置された複数本のフレーム材と、当該フレーム材上にフレーム材に対して交差する方向に併設された複数枚のデッキフロアと、デッキフロアの端面および側面に取り付けられた幕板材とによって構成されている。
【０００３】
上記幕板材をデッキフロアの外縁に固定するためには固定部材が用いられる。固定部材の一例として、下記特許文献１に開示の取付け構造が知られている。特許文献１に開示の取付け構造は、フレーム材の端面および側面に取り付けられた被取付金具と、幕板材の内側面に取り付けられた取付金具とを有している。この取付け構造では、フレーム材に取り付けられた被取付金具に、幕板材に取り付けられた取付金具を嵌め込むことによってフレーム材の側面および端面に幕板材を仮止めする。この仮止め状態で被取付金具の下側面から締結部材を差し込んで被取付金具を取付金具に締結することによってフレーム材の側面および端面に幕板材を固定する。この取付け構造を用いることで、作業者が幕板材をデッキの端面および側面にあてがった状態にして幕板材を保持する作業が不要になる。このため、作業者はデッキに対して簡便に幕板材を取り付けることができる。
【先行技術文献】
【特許文献】
【０００４】
【特許文献１】特許第５５９１７２７号公報
【発明の概要】
【発明が解決しようとする課題】
【０００５】
しかしながら、上記特許文献１に開示の取付け構造を用いると、作業者のネジ締め作業数自体は増えてしまう。すなわち、作業者はフレーム材に対し被取付金具をネジ止め固定するとともに幕板材に対し取付金具をネジ止め固定する。そして、被取付金具と取付金具とを仮止めした状態で、さらに被取付金具と取付金具とをネジ止め固定する。このように特許文献１に開示の取付け構造では、作業者によるネジ止めの作業回数が増えてしまうため、トータルで見て作業性が向上するとは言い難い。
【０００６】
本発明は、上記のような事情に鑑みてなされたものであり、デッキ構造のフレーム材の端部および側面の両方に取り付け可能で、幕板材を簡便に取り付けることができるデッキ用幕板材固定具を提供することを目的とする。
【課題を解決するための手段】
【０００７】
前記課題を解決するためのものとして、本発明は、デッキフロアを支持するフレーム材の軸方向の端部または側面に取り付けられ、且つ前記デッキフロアの周面を覆う幕板材が固定されるデッキ用幕板材固定具であって、ベース壁部と、前記ベース壁部の両側縁から当該ベース壁部と直交する方向に延びる一対の側壁部と、前記一対の側壁部の各先端部から互いに離れる方向に前記ベース壁部と平行に延びる一対のフランジ部とを有し、前記一対の側壁部の内面間距離が、前記フレーム材の長手方向の端部の幅寸法と略同一に設定されたことを特徴とするものである（請求項１）。
【０００８】
本発明によれば、フレーム材の側面にも端部にも同一のデッキ用幕板材固定具（以下「幕板材固定具」とも記す）を取り付け可能とされている。すなわち、フレーム材の側面に幕板材固定具を取り付けるときには、一対のフランジ部がフレーム材の側面に当接した状態で、一対のフランジ部をそれぞれフレーム材の側面に固定する。一方、フレーム材の端部に幕板材固定具を取り付けるときには、ベース壁部がフレーム材の端部に当接または近接し、且つ一対の側壁部がフレーム材の端部の左右の側面に沿って配置された状態で、一対の側壁部をそれぞれフレーム材の端部の側面に固定する。このようにフレーム材の周面を覆うように幕板材固定具を取り付けることができるので、幕板材固定具の種類を１種類で済ますことができ、製造設備、製造コストおよび保管上有利となる。
【０００９】
前記フレーム材の側面に取り付けた幕板材固定具に幕板材を固定するとともに前記フレーム材の端部に取り付けた幕板材固定具に幕板材を固定することで、デッキフロアの複数の辺に沿ってそれぞれ幕板材を取り付けることができる。このようにデッキフロアの周面を覆うように幕板材を取り付けることで、幕板材によってフレーム材が外側から見えにくくなるので、デッキ構造の意匠性を高めることができる。しかも、従来の取付構造に比して固定作業の回数を少なくすることができるので、幕板材をより簡便に取り付けることが可能となる。
【００１０】
その上、上記幕板材固定具をフレーム材の側面に取り付けた場合には、幕板材を支持する支持部がフランジ部に対して側壁部の分だけ離れるので、フレーム材の側面から離れた位置に幕板材を取り付けることができる。これによりフレーム材が幕板材よりも奥まった位置に配置されるので、デッキ構造を組み立てたときにフレーム材を支える支柱が幕板材に対して相対的に内側に配置され、支柱が外部から視認されにくく、意匠性の高いデッキ構造を組み立てることができる。
【００１１】
好ましくは、前記フランジ部は、当該フランジ部を前記フレーム材の側面に固定するための締結部材を挿通するフランジ挿通孔を有し、前記側壁部は、当該側壁部を前記フレーム材の側面に固定するための締結部材を挿通する側壁挿通孔を有する（請求項２）。
【００１２】
この構成によれば、フランジ部をフレーム材の側面に当接した状態で、フランジ挿通孔に締結部材を挿通することによってフレーム材の側面とフランジ部とを固定することができる。また一対の側壁部をフレーム材の側面に当接した状態で、側壁挿通孔に締結部材を挿通することによってフレーム材の側面と一対の側壁部とを固定することができる。上記の各孔に締結部材を挿通することで幕板材固定具をフレーム材に取り付けることができるので、幕板材固定具を簡便に取り付けることができる。
【００１３】
好ましくは、前記側壁挿通孔は、前記ベース壁部側から前記フランジ部側に向けて延びている横長の孔である（請求項３）。
【００１４】
この構成によれば、側壁挿通孔に締結部材を挿通させた状態のまま、フレーム材に対して幕板材固定具を押し込むか引っ張ることでフレーム材の長手方向に対する幕板材固定具の相対位置を微調整することができる。これによって例えばデッキフロアをフレーム材上に配置する時に、デッキフロアの幅方向の長さに対してフレーム材の長手方向の長さが僅かに足りない場合、フレーム材に取り付けた幕板材固定具をフレーム材の端部から離れる方向に引っ張ることでフレーム材の長手方向の不足分を幕板材固定具によって補うことができる。これによりデッキフロアを納まりよくフレーム材上に配置することができる。
【００１５】
また、例えば複数のフレーム材同士の端部がずれていることで、各フレーム材の端部に取り付けられた各幕板材固定具の位置がずれてしまうことがある。この場合、一枚の幕板材を各幕板材固定具に取り付けることが困難になるが、上記構成のように側壁挿通孔を横長の孔とすることで、各フレーム材に取り付けた幕板材固定具の長手方向の相対位置を微調整することができるので、各フレーム材の端部に取り付けた幕板材固定具に一枚の幕板材が収まるように各幕板材固定具の位置を合わせることが可能となる。
【００１６】
好ましくは、前記一対の側壁部は、前記ベース壁部の両縁端における上端から前記フレーム材の上下方向の長さ分だけ下方の位置までの範囲から前記ベース壁部と直交する方向に延びるように形成されている（請求項４）。
【００１７】
この構成によれば、一対の側壁部の上下方向の長さとフレーム材の上下方向の長さが一致しているので、一対の側壁部をフレーム材の側面に合わせることで、幕板材固定具のフレーム材への取付時に上下の位置合わせを容易にすることができる。また、ベース壁部の下側には側壁部が形成されないので、このベース壁部の下側部分を持ちながら側壁部をフレーム材の側面に固定することで、フレーム材の端部および側面に対して幕板材固定具を容易に固定することができる。しかも、上記構成によれば、ベース壁部の両縁端の全体に亘って一対の側壁部を設ける場合に比して、一対の側壁部を小さくすることができるので、幕板材固定具の製造コストを削減することができる。またフレーム材の側面に幕板材固定具を取り付けるときに、側壁部の下側部分が他の部材（例えば支柱）に当たってフランジ部をフレーム材の側面に当接できなくなる事態を避けることができる。
【００１８】
上記構成において、前記側壁部における前記ベース壁部からの延出長さは、前記フランジ部における前記側壁部からの延出長さよりも長い（請求項５）。
【００１９】
この構成によれば、フランジ部をフレーム材の側面に取り付けたときに、フランジ部に対して側壁部の距離を十分に確保することができるので、フレーム材が幕板材よりも奥まった内側に配置される。これにより意匠性の高いデッキ構造を組み立てることができる。
【００２０】
上記構成において、ベース壁部の下端から前記側壁部とは反対側に延び、且つ前記幕板材を下側から支持する支持部をさらに有する（請求項６）。
【００２１】
上記構成によれば、ベース壁部の下端に幕板材を下側から支持する支持部が設けられているので、この支持部に幕板材を載置した状態で、幕板材固定具に幕板材を容易に固定することができる。
【００２２】
本発明は、デッキフロアと、前記デッキフロアを支持するフレーム材と、前記デッキフロアの周面を覆う幕板材と、前記フレーム材の軸方向の端部または側面に取り付けられ、且つ前記幕板材を下側から支持する上記デッキ用幕板材固定具と、を有することを特徴とするデッキ構造でもある（請求項７）。
【００２３】
この構成によれば、幕板材がデッキフロアの周面を覆うように取り付けられるので、デッキ構造を外側から見たときにフレーム材が見えにくくなり、デッキ構造の意匠性が高められる。また、上記幕板材固定具をフレーム材の側面に取り付けることで、支持部がフランジ部に対して側壁部の長さ分だけ離れるので、フレーム材の側面から側壁部の分だけ離れた位置に幕板材を取り付けることができる。これによりフレーム材が幕板材よりも奥まった位置に配置されるので、デッキ構造を組み立てたときにフレーム材を支える支柱を幕板材に対して相対的に内側に配置させることができ、支柱が外部から視認されにくい意匠性の高いデッキ構造を組み立てることができる。
【発明の効果】
【００２４】
以上説明したように、本発明によれば、フレーム材の端部および側面の両方に取り付け可能で、幕板材を簡便に取り付けることができるデッキ用幕板材固定具を提供することができる。
【図面の簡単な説明】
【００２５】
【図１】本実施形態にかかるデッキ構造を示す斜視図である。
【図２】上記デッキ構造の側面断面図である。
【図３】上記デッキ構造から一部の部品を取り外した図１相当図である。
【図４】支柱の上端にフレーム材を組み付けるとともにフレーム材にデッキ用幕板材固定具を組み付けた一部分解斜視図である。
【図５】図４の状態から各部品を組み付けた後の状態を示す斜視図である。
【図６】図５のフレーム材を長手方向に切断した断面図である。
【図７】デッキ用幕板材固定具の斜視図である。
【図８】図６の状態のフレーム材の上面にパネル材を載置した後の状態を示す上面図である。
【発明を実施するための形態】
【００２６】
＜第１実施形態＞
（１）デッキ構造の全体構成
図１および図２は、本発明の実施形態にかかるデッキ構造１０を示す斜視図および側面断面図である。本図に示されるデッキ構造１０は、建物の一階部分の側壁Ｗから屋外側（庭）に突出するように設けられ、いわゆるガーデンテラスとして利用されるものである。なお、以下の説明において「前」「後」「左」「右」とは、側壁Ｗと直交しかつ屋外を向く方向を「前」、その反対側（屋内側）を「後」とした場合のものである。
【００２７】
デッキ構造１０は、複数の土台部２と、土台部２の上方に設けられた複数のフレーム材３（図２）と、各フレーム材３を支持するために土台部２とフレーム材３との間に設けられた複数の支柱１と、フレーム材３の上面に敷設されたデッキフロア４と、デッキフロア４の敷設領域の外周を囲むように各フレーム材３に取り付けられた複数の幕板材５とを備えている。
【００２８】
図３は、図１からデッキフロア４および幕板材５を取り外した状態を示している。この図３および先の図１および図２に示すように、複数の支柱１は、前後および左右に一定の間隔を空けて互いに離間するように配置されている。なお、当実施形態では、前後２×左右４の合計８箇所に分布するように支柱１が配置されている。
【００２９】
複数の土台部２は、各支柱１を支持するためのコンクリート製ブロックであり、各支柱１の位置に対応する地盤Ｅ上の８箇所にそれぞれ打設されている。
【００３０】
複数のフレーム材３は、複数の支柱１により下から支持されており、左右方向に一定の間隔を空けた状態でそれぞれ前後方向に延びるように配置されている。フレーム材３は、上述した支柱１の分布に対応して合計４つ設けられ、各フレーム材３は、前後方向に隣接する一対の支柱１の各上端部どうしを架け渡すように取り付けられている。
【００３１】
デッキフロア４は、複数のフレーム材３により下から支持されており、間隔をほとんど空けることなく前後に並べられた状態でそれぞれ左右方向に延びるように配置された長尺状の複数のパネル材によって構成されている。各パネル材は、左右方向に並ぶ複数の（４つの）フレーム材３の間を架け渡すように配置され、各フレーム材３の上面に図外の金具を介して固定されている。このようにフレーム材３の上面に敷設されたパネル材で構成されたデッキフロア４によって人が歩行可能な床面が構成されている。
【００３２】
幕板材５は、各フレーム材３の前端面および側面に固定された複数の幕板材固定具６によって下から支持されており、デッキフロア４の敷設領域の外周を囲むように取り付けられている。各幕板材５は、各幕板材固定具６に図外の金具を介して固定されている。幕板材５の外側面は、デッキ構造１０における各部品の外観（例えば支柱１およびデッキフロア４の外表面）と統一感をもたせるようにデザインされた面とされ、例えば天然木を模した外観を有するように形成されている。
【００３３】
幕板材固定具６は、各フレーム材３の前端面および各フレーム材３のうちの最も左側および右側のフレーム材３の外側面にそれぞれ互いに離間してビス止め固定されている。幕板材固定具６の詳細構造は後述する。
【００３４】
（２）デッキ構造の組立
図４はデッキ構造１０の支柱近傍を拡大した分解斜視図であり、図５は図４の状態から各部品を組み付けた斜視図であり、図６は図５のフレーム材を長手方向に切断した断面図である。支柱１は、図４に示すように、土台部２の上面に固定される支柱本体１２と、支柱本体１２を同軸に収容した状態で支柱本体１２の外周を取り囲むカバー部材１３とを備えている。
【００３５】
支柱本体１２は、上下方向に延びるほぼ正方形の中空断面形状の金属製パイプ材（角パイプ）であり、カバー部材１３は、全体として支柱本体１２と相似でかつひと回り大きいほぼ正方形の中空断面形状の樹脂製パイプ材である。
【００３６】
支柱本体１２は、その下端部を含む大部分が外部から視認されないようにカバー部材１３によって覆い隠されるが、図４に示すように、支柱本体１２の上端部に限っては、カバー部材１３から露出するようになっている。すなわち、カバー部材１３の上下方向の長さ寸法は支柱本体１２のそれよりも若干短くされており、その寸法差Ｘ（図４参照）の分だけ、支柱本体１２の上端部がカバー部材１３から露出している。この露出した支柱本体１２の上端部には、上述したデッキ構造１０のフレーム材３が図外のビスを用いて締結固定される。より詳しくは、図４に示すように、フレーム材３の下面には一対の取付板３ａ，３ｂが形成されており、この取付板３ａ，３ｂの間に支柱本体１２の上端部を挟み込むようにフレーム材３が配置される。そしてこの状態で、取付板３ａとこれと対面する支柱本体１２の壁部とがビスにより固定されるとともに、取付板３ｂとこれと対面する支柱本体１２の壁部とがビスにより固定される。次に、このようにして取り付けられたフレーム材３の前端部およびフレーム材３の側面にそれぞれ幕板材固定具６が取り付けられる。
【００３７】
図７は幕板材固定具６の斜視図である。幕板材固定具６は、図７に示すように、一枚のＴ字状の平板の左右および下側を直角に折り曲げて複数の段差を設けた形状とされており、具体的には、略矩形状のベース壁部６１と、ベース壁部６１の両側縁からベース壁部６１と直交する方向に延びる一対の側壁部６２と、一対の側壁部６２の各先端部から互いに離れる方向に延びる一対のフランジ部６３と、ベース壁部６１の下端から側壁部６２とは反対側に延び、かつ幕板材を下側から支持する支持部６５とを一体に有している。
【００３８】
一対の側壁部６２、フランジ部６３および支持部６５はいずれも、縦横の長さは多少異なるが、ベース壁部６１と同様に矩形状である。ベース壁部６１と一対のフランジ部６３とは互いに平行であり、一対の側壁部６２同士は互いに平行である。一対の側壁部６２は、ベース壁部６１および一対のフランジ部６３のそれぞれに直交しており、ベース壁部６１は支持部６５と直交している。ベース壁部６１の両端面におけるベース壁部６１と一対の側壁部６２との接続部分の下側には、内側に入り込んだ切欠き部６７が設けられている。
【００３９】
ベース壁部６１は、フレーム材３の前端面よりも一回り大きい矩形状とされている。このベース壁部６１がフレーム材３の前端面に当接または近接し、且つ一対の側壁部６２がフレーム材３の左右の側面に沿って配置された状態で、幕板材固定具６がフレーム材３の前端面に固定されている。
【００４０】
ベース壁部６１の上下方向の長さは、幕板材５の短辺幅よりもデッキフロア４の厚み分だけ短くされている。言い換えると、支持部６５の上面に幕板材５を載置したときに、幕板材５がベース壁部６１の上面からデッキフロア４の厚み分だけ上側に飛び出すようにベース壁部６１の上下方向の長さが設定されている。このため、支持部６５に幕板材５を載置すると、図２に示すように幕板材５の上端面とデッキフロア４の上面とが略同一平面となる。
【００４１】
ベース壁部６１の幅寸法は、フレーム材３の幅寸法、つまりフレーム材３の左右両側面の外面間距離（外側面どうしの離間距離）とほぼ同一に設定されている。よって、一対の側壁部６２どうしの内面間距離（内側面どうしの離間距離）も、フレーム材３の幅寸法とほぼ同一に設定されている。したがって、図４および図５に示すように、ベース壁部６１をフレーム材３の前端面に被せた状態において、一対の側壁部６２はそれぞれフレーム材３の外側面と当接または近接する位置に配置される。
【００４２】
一対の側壁部６２にはそれぞれ上下に並ぶ２つ（つまり合計４つ）の側壁挿通孔６６が形成されている。この側壁挿通孔６６は、ベース壁部６１側からフランジ部６３側に向けて延びている横長の孔とされている。図４および図５に示すように、側壁挿通孔６６を通じてビス６６ａが外側からフレーム材３の側面に螺着されることにより、一対の側壁部６２がフレーム材３の側面にそれぞれビス６６ａで締結される。これによりベース壁部６１がフレーム材３の前端面を覆うように幕板材固定具６が固定されている。なお、ビス６６ａはそれぞれ請求項にいう「締結部材」に相当する。
【００４３】
一対の側壁部６２の上下方向の長さは、図４および図５に示すように、フレーム材３の高さ寸法、つまりフレーム材３の上面と下面との外面間距離とほぼ同一に設定されている。また、一対の側壁部６２におけるベース壁部６１からの延出長さはいずれも、フランジ部６３における側壁部６２からの延出長さよりも長くされている。
【００４４】
図６に示すように、フレーム材３の側面に取り付けられた幕板材固定具６のうちのフレーム材３の前端部側に位置する幕板材固定具６のベース壁部６１から支柱本体１２の中心Ｃまでの長さＴ１と、フレーム材３の端部に取り付けられた幕板材固定具６のベース壁部６１から支柱本体１２の中心Ｃまでの長さＴ２とが略同一となるように側壁部６２の長さを設定している。
【００４５】
一対のフランジ部６３にはそれぞれ上下に並ぶ２つ（つまり合計４つ）のフランジ挿通孔６４が形成されている。フランジ挿通孔６４は、ビス６４ａを挿通可能な円形の孔である。このフランジ挿通孔６４を通じてビス６４ａが外側からフレーム材３の側面に螺着されることにより、フランジ部６３がフレーム材３の外側面に固定されている。このようにしてフレーム材３の側面に幕板材固定具６が固定されている。また、図６に示すように、フレーム材３の端部に取り付けられた幕板材固定具６のフランジ部６３は、フレーム材３の端部の近傍に取り付けられた幕板材固定具６のフランジ部６３と接している。
【００４６】
支持部６５は、幕板材５を下側から支持することによってデッキフロア４の周面に幕板材５を取り付けるものである。支持部６５におけるベース壁部６１からの延出長さは、幕板材５の厚みよりも短く設定されている。このため、支持部６５の上部に幕板材５を載置したときにも支持部６５が幕板材５の表面から飛び出さず、デッキ構造１０を外側から見たときに支持部６５が外側から見えないようにされている。この支持部６５の上面に載せた状態の幕板材５はベース壁部６１にネジ止め固定されている。
【００４７】
（３）作用効果
以上説明した実施形態にかかる幕板材固定具６は、フレーム材３の端部にも側面にも同一の幕板材固定具６を取り付け可能とされている。すなわち、フレーム材３の側面に幕板材固定具６を取り付けるときには、幕板材固定具６の一対のフランジ部６３がフレーム材３の側面に当接した状態で、一対のフランジ部６３をそれぞれフレーム材３の側面に固定する。一方、フレーム材３の端部に幕板材固定具６を取り付けるときには、ベース壁部６１がフレーム材３の端部に当接または近接し、かつ一対の側壁部６２がフレーム材３の左右の側面に沿って配置された状態で、一対の側壁部６２をそれぞれフレーム材３の端部の側面に固定する。これにより幕板材固定具６の種類を１種類のみで済ますことができ、製造設備、製造コストおよび保管上有利となる。
【００４８】
また前記フレーム材３の端部に取り付けた幕板材固定具６に幕板材５を固定するとともにフレーム材３の側面に取り付けた幕板材固定具６に幕板材５を固定することで、デッキフロア４の複数の辺に沿ってそれぞれ幕板材５を取り付けることができる。このようにデッキフロア４の周面を覆うように幕板材５を取り付けることで、幕板材５によってフレーム材３が外側から見えにくくなるので、デッキ構造１０の意匠性を高めることができる。しかも、従来の取付構造に比して固定作業の回数を少なくすることができるので、幕板材５をより簡便に取り付けることが可能となる。
【００４９】
上記実施形態にかかる幕板材固定具６をフレーム材３の側面に取り付けた場合には、幕板材５を支持する支持部６５がフランジ部６３に対して側壁部６２の分だけ離れるので、フレーム材３の側面から離れた位置に幕板材５を取り付けることができる。これによりフレーム材３が幕板材５よりも奥まった位置に配置されるので、デッキ構造１０を組み立てたときにフレーム材３を支える支柱１を幕板材５に対して相対的に内側に配置させることができ、支柱１が外部から視認されにくく、意匠性の高いデッキ構造１０を組み立てることができる。
【００５０】
また、フランジ部６３は、当該フランジ部６３をフレーム材３の側面に固定するためのビス６４ａを挿通するフランジ挿通孔６４を有するので、フランジ部６３をフレーム材３の側面に当接した状態で、フランジ挿通孔６４にビス６４ａを挿通することによってフレーム材３の側面とフランジ部６３とを固定することができる。
【００５１】
さらに、側壁部６２は、当該側壁部６２をフレーム材３の側面に固定するためのビス６６ａを挿通する側壁挿通孔６６を有するので、一対の側壁部６２をフレーム材３の側面に当接または近接した状態で、側壁挿通孔６６にビス６６ａを挿通することによってフレーム材３の側面と一対の側壁部６２とを固定することができる。
【００５２】
上記側壁挿通孔６６は、ベース壁部６１側からフランジ部６３側に向けて延びている横長の孔であるので、側壁挿通孔６６に固定具を挿通させた状態のまま、フレーム材３に対して幕板材固定具６を押し込むか引っ張ることでフレーム材３の長手方向に対する幕板材固定具６の相対位置を微調整することができる。これによって例えばデッキフロア４をフレーム材３上に並べて配置する時に、デッキフロア４の幅方向の長さに対してフレーム材３の長手方向の長さが僅かに足りない場合、フレーム材３に取り付けた幕板材固定具６をフレーム材３の端部から離れる方向に引っ張ることでフレーム材３の長手方向の不足分を幕板材固定具６によって補うことができる。これによりフレーム材３に対してデッキフロア４を納まりよく配置することができる。
【００５３】
また、例えば複数のフレーム材３同士の端部がずれていることで、各フレーム材３の端部に取り付けられた各幕板材固定具６の位置がずれてしまうことがある。この場合、一枚の幕板材５を各幕板材固定具６に取り付けることが困難になるが、上記構成のように側壁挿通孔６６を横長の孔とすることで、各フレーム材３に取り付けた幕板材固定具６の長手方向の相対位置を微調整することができるので、各フレーム材３の端部に取り付けた幕板材固定具６に一枚の幕板材５が収まるように各幕板材固定具６の位置を合わせることが可能となる。
【００５４】
一対の側壁部６２は、ベース壁部６１の両端縁における上端からフレーム材の上下方向の長さ分だけ下方の位置までの範囲からベース壁部６１と直交する方向に延びるように形成されている。このため、一対の側壁部６２をフレーム材３の側面に一致させることで、フレーム材３に対して幕板材固定具６の上下方向の取り付け位置を合わせやすい。またベース壁部６１の下側には側壁部６２が形成されないので、この部分（ベース壁部６１の下側部分）を持ちながら側壁部６２をフレーム材３の側面に固定することで、フレーム材３の端部および側面に対して幕板材固定具６を容易に固定することができる。しかも、ベース壁部６１の両端縁の全体に亘って一対の側壁部６２を設ける場合に比して、一対の側壁部６２を小さくすることができるので、幕板材固定具６の製造コストを削減することができる。またフレーム材３の側面に幕板材固定具６を取り付けるときに、側壁部６２の下側部分が他の部材（例えば支柱１）に当たってしまってフランジ部６３をフレーム材３の側面に当接させることができなくなるのを抑制することができる。
【００５５】
上記側壁部６２におけるベース壁部６１からの延出長さは、フランジ部６３における側壁部６２からの延出長さよりも長いので、フランジ部６３をフレーム材３の側面に取り付けたときに、フランジ部６３に対して側壁部６２の距離を十分に確保することができ、フレーム材３が幕板材５よりも奥まった内側に配置される。これにより意匠性の高いデッキ構造を組み立てることができる。
【００５６】
一対の側壁部６２の上下方向の長さは、フレーム材３の上下の外面間距離（外側面どうしの離間距離）とほぼ同一に設定されているので、ベース壁部６１をフレーム材３の前端面に被せた状態において、一対の側壁部６２をフレーム材３の側面に一致させることで、フレーム材３に対する幕板材固定具６の上下方向の位置合わせをすることができる。
【００５７】
上記実施形態では、ベース壁部６１と一対の側壁部６２との接続部分の下側のベース壁部６１の左右の両端面に内側に入り込んだ切欠き部６７が設けられているので、一枚のＴ字状の板状部材から図７に示す形状の幕板材固定具６に折り曲げ加工しやすい。
【００５８】
上記幕板材固定具６を用いて組み立てられるデッキ構造１０は、デッキフロア４と、デッキフロア４を支持するフレーム材３と、デッキフロア４の周面を覆う幕板材５と、フレーム材３の軸方向の端部または側面に取り付けられ、且つ幕板材５を下側から支持するデッキ用幕板材固定具６とを有している。上記デッキ構造１０は、地盤Ｅ上に一定の間隔を空けて互いに離間して配置された複数の支柱１をさらに有する場合もある。この場合、複数本のフレーム材３は複数の支柱１の上端部どうしを架け渡すように載置されている。
【００５９】
上記デッキ構造１０では、幕板材５がデッキフロア４の周面を覆うように取り付けられるので、デッキ構造１０を外側から見たときにフレーム材３が見えにくくなり、デッキ構造１０の意匠性が高められる。また、上記幕板材固定具６をフレーム材３の側面に取り付けることで、支持部６５がフランジ部６３に対して側壁部６２の長さ分だけ離れるので、フレーム材３の側面から側壁部６２の分だけ離れた位置に幕板材５を取り付けることができる。これによりフレーム材３が幕板材５よりも奥まった位置に配置されるので、デッキ構造１０を組み立てたときにフレーム材３を支える支柱１を幕板材５に対して相対的に内側に配置させることができ、支柱１が外部から視認されにくい意匠性の高いデッキ構造１０を組み立てることができる。
【００６０】
図８は図６の状態のフレーム材の上面にパネル材を載置した後の状態を示す上面図である。上記実施形態では、図８に示すように、幕板材固定具６のベース壁部６１から支柱本体１２の中心Ｃまでの長さＴ１と、フレーム材３の端部に取り付けられた幕板材固定具６のベース壁部６１から支柱本体１２の中心Ｃまでの長さＴ２とが略同一となるように側壁部６２の長さを設定しているので、フレーム材３の上部にパネル材を配置した時にパネル材がフレーム材３上で安定しやすく、パネル材４の端部近傍に局所的に負荷がかかってパネル材が浮き上がることを抑制することができる。
【００６１】
＜その他の変形例＞
上記実施形態では、幕板材固定具６をフレーム材３の側面および前端面に固定する手段として、ビス等の締結部材６４ａ、６６ａを用いる場合を説明したが、これらの部材間の締結手段は、ビス等の締結部材のみに限られず、例えば溶接により固定することも可能である。上記部材間を溶接によって固定する場合、側壁部６２に設けた側壁挿通孔６６およびフランジ部６３に設けたフランジ挿通孔６４をそれぞれ省略することができる。
【００６２】
上記実施形態では、側壁挿通孔６６がベース壁部６１側からフランジ部６３側に向けて延びる横長の孔の場合を説明したが、側壁挿通孔６６は横長の孔でなくてもよく、フランジ挿通孔６４と同様の丸孔であってもよい。
【００６３】
また上記実施形態では、一対の側壁部６２がベース壁部６１の両端縁における上端から上下方向の中間位置までの範囲からベース壁部６１と直交する方向に延びるように形成されている場合を説明したが、ベース壁部６１の両端縁全体からベース壁部６１と直交する方向に延びるように一対の側壁部６２を形成してもよい。
【００６４】
ベース壁部６１に設けられた切欠き部６７は省略することもできる。
【００６５】
上記実施形態では、ベース壁部６１の下端に支持部６５を設け、当該支持部６５によって幕板材５を下側から支持する場合を説明したが、例えば幕板材５に溝を設け、当該溝をベース壁部６１から突出した凸部に引っ掛けることによって幕板材固定具６に幕板材５を固定してもよいし、幕板材５の側面に取付金具を取り付けるとともに当該取付金具を取り付けるための被取付金具をベース壁部６１に取り付けて、被取付金具に取付金具を取り付けることによって幕板材固定具６に幕板材５を固定してもよい。
【００６６】
上記実施形態では、側壁部６２におけるベース壁部６１からの延出長さがフランジ部６３における側壁部６２からの延出長さよりも長い場合を説明したが、側壁部６２におけるベース壁部６１からの延出長さがベース壁部６１の両側縁の間の長さより長くてもよい。
【符号の説明】
【００６７】
１  支柱
３  フレーム材
４  デッキフロア
５  幕板材
６  デッキ用幕板材固定具
１０  デッキ構造
１２  支柱本体
１３  カバー部材
６１  ベース壁部
６２  側壁部
６３  フランジ部
６４  フランジ挿通孔
６４ａ，６６ａ  ビス（締結部材の一例）
６５  支持部
６６  側壁挿通孔
６７  切欠き部
【図１】
2018035630.tif 000003
【図２】
2018035630.tif 000004
【図３】
2018035630.tif 000005
【図４】
2018035630.tif 000006
【図５】
2018035630.tif 000007
【図６】
2018035630.tif 000008
【図７】
2018035630.tif 000009
【図８】
2018035630.tif 000010